(57)【要約】      （修正有）【課題】画面上に表示されたオブジェクトの状態が不所望に変更されてしまうことを防止する電子機器を提供する。【解決手段】電子機器のデスクトップ画面Ｄ１に、アイコン２１〜２４やウィジェット２５などのオブジェクトを表示する。電子機器の制御部は、デスクトップ画面Ｄ１上に表示されるオブジェクトについて、個別にデスクトップ画面Ｄ１内での移動や削除を禁止するように設定可能である。移動や削除を禁止する設定がなされたオブジェクトには、禁止マークであるピクトアイコン２６を付加表示する。【選択図】図２
2018022523.tif 000002
【特許請求の範囲】
【請求項１】
オブジェクト画像を含む画面を表示する表示部と、
オブジェクト画像の表示状態を変更するための変更指示およびオブジェクト画像の表示状態の変更を禁止するための変更禁止指示を入力するための入力部と、
前記入力部に前記変更指示が入力されると、該変更指示の対象のオブジェクト画像の表示状態を、該変更指示に従って変更し、前記入力部に前記変更禁止指示が入力されると、該変更禁止指示の対象のオブジェクト画像について、表示状態の変更を禁止するように設定する制御部とを含むことを特徴とする電子機器。
【請求項２】
前記制御部は、表示状態の変更を禁止するように設定されたオブジェクト画像を、表示状態の変更が禁止されていることが視覚的に判別可能に表示させることを特徴とする請求項１に記載の電子機器。
【請求項３】
前記変更禁止指示には、オブジェクト画像の画面内での移動を禁止するための移動禁止指示が含まれ、
前記制御部は、前記入力部に前記移動禁止指示が入力されると、該移動禁止指示の対象のオブジェクト画像について、画面内での移動を禁止するように設定することを特徴とする請求項１または２に記載の電子機器。
【請求項４】
前記表示部は、オブジェクト画像を含む複数の画面をそれぞれ切り換えて表示可能であり、
前記変更禁止指示には、前記複数の画面の全てにおいて、オブジェクト画像を予め定める位置に固定して表示させるための位置固定指示が含まれ、
前記制御部は、前記入力部に前記位置固定指示が入力されると、該位置固定指示の対象のオブジェクト画像について、前記複数の画面の全てにおいて、予め定める位置に固定して表示するように設定することを特徴とする請求項１または２に記載の電子機器。
【請求項５】
前記オブジェクト画像は、複数のデータが予め設定された順序に従って配列されて成るデータオブジェクト画像を含み、
前記変更禁止指示には、データオブジェクト画像におけるデータの配列順序の変更を禁止するための順序変更禁止指示が含まれ、
前記制御部は、前記入力部に前記順序変更禁止指示が入力されると、該順序変更禁止指示の対象のデータオブジェクト画像について、データの配列順序の変更を禁止するように設定することを特徴とする請求項１または２に記載の電子機器。
【請求項６】
コンピュータを、請求項１〜５のいずれか１つに記載の電子機器における制御部として機能させるためのプログラム。
【発明の詳細な説明】
【技術分野】
【０００１】
本発明は、電子機器およびプログラムに関する。
【背景技術】
【０００２】
ＰＣ（Personal Computer）の表示部に表示されるデスクトップ画面やスマートフォン
の表示部に表示されるホーム画面などの画面（以下、「オブジェクト表示画面」と称する）には、アプリケーションプログラムの実行ファイル、特定のアプリケーションプログラムに関連付けられたファイル、および、デスクトップに保存されたフォルダなどを表すアイコンや、オブジェクト表示画面上で動作する時計表示ウィジェット、日付表示ウィジェット、天気表示ウィジェット、およびニュース表示ウィジェットといったオブジェクトを適宜配置することができる。
【０００３】
これらのオブジェクトは、オブジェクト表示画面内で移動させることが可能であり、ユーザは、自身が利用しているＰＣやスマートフォンのオブジェクト表示画面において、これらのオブジェクトを、自分の好みに合わせた配置、あるいは使い易さを考慮した配置に並べ替えて利用する傾向にある。
【０００４】
近年、タッチパネルを搭載する電子機器においては、フリック操作によって、これらの移動可能なオブジェクトをオブジェクト表示画面内で移動できるように構成されているものがある。このような電子機器では、オブジェクトの配置を容易に変更することができるという利点があるが、その反面、誤操作や意図しない操作によって、オブジェクトの配置が不用意に変動してしまうという不具合も発生してしまう。そして、このような不具合が発生した場合には、ユーザは、自分で元の配置状態に戻さなければならない。
【０００５】
このような問題を解決する方法として、たとえばＰＣにおいては、特定の時点におけるオブジェクトの配置状態を記憶させておき、誤操作や意図しない操作によってオブジェクトの配置が変動してしまったときに、記憶させた時点におけるオブジェクトの配置状態に復旧させるためのツールが存在している。
【０００６】
しかしながら、このツールでは、オブジェクトの配置状態を記憶させた時点よりも後に、オブジェクトの配置状態を変更したり、あるいは、オブジェクトを新たに追加または削除したりすると、これらの操作が行われた後にオブジェクトの配置状態を再度記憶させておかなければ、オブジェクトを所望の配置状態に復旧することができないという問題がある。
【０００７】
たとえば特許文献１には、階層関係にある要素の集合から成るツリー構造において、常時表示しておきたい表示ノード群の最上位に位置するノードに対して所定の操作を行って固定ノードとして設定することで、前記ツリー構造において該表示ノード群よりも上位のノードを閉状態に切替えた場合に、閉状態に切替えられたノードの下位のノードのうち、前記表示ノード群を除くノードを非表示にする技術が開示されている。しかしながら、前記のような問題を解決する方法については開示されていない。
【先行技術文献】
【特許文献】
【０００８】
【特許文献１】特開２００７−１７２２８３号公報
【発明の概要】
【発明が解決しようとする課題】
【０００９】
本発明の目的は、画面上に表示されたオブジェクトの状態が不所望に変更されてしまうことを防止する電子機器およびプログラムを提供することである。
【課題を解決するための手段】
【００１０】
本発明は、オブジェクト画像を含む画面を表示する表示部と、
オブジェクト画像の表示状態を変更するための変更指示およびオブジェクト画像の表示状態の変更を禁止するための変更禁止指示を入力するための入力部と、
前記入力部に前記変更指示が入力されると、該変更指示の対象のオブジェクト画像の表示状態を、該変更指示に従って変更し、前記入力部に前記変更禁止指示が入力されると、該変更禁止指示の対象のオブジェクト画像について、表示状態の変更を禁止するように設定する制御部とを含むことを特徴とする電子機器である。
【００１１】
また本発明は、前記制御部は、表示状態の変更を禁止するように設定されたオブジェクト画像を、表示状態の変更が禁止されていることが視覚的に判別可能に表示させることを特徴とする。
【００１２】
また本発明は、前記変更禁止指示には、オブジェクト画像の画面内での移動を禁止するための移動禁止指示が含まれ、
前記制御部は、前記入力部に前記移動禁止指示が入力されると、該移動禁止指示の対象のオブジェクト画像について、画面内での移動を禁止するように設定することを特徴とする。
【００１３】
また本発明は、前記表示部は、オブジェクト画像を含む複数の画面をそれぞれ切り換えて表示可能であり、
前記変更禁止指示には、前記複数の画面の全てにおいて、オブジェクト画像を予め定める位置に固定して表示させるための位置固定指示が含まれ、
前記制御部は、前記入力部に前記位置固定指示が入力されると、該位置固定指示の対象のオブジェクト画像について、前記複数の画面の全てにおいて、予め定める位置に固定して表示するように設定することを特徴とする。
【００１４】
また本発明は、前記オブジェクト画像は、複数のデータが予め設定された順序に従って配列されて成るデータオブジェクト画像を含み、
前記変更禁止指示には、データオブジェクト画像におけるデータの配列順序の変更を禁止するための順序変更禁止指示が含まれ、
前記制御部は、前記入力部に前記順序変更禁止指示が入力されると、該順序変更禁止指示の対象のデータオブジェクト画像について、データの配列順序の変更を禁止するように設定することを特徴とする。
【００１５】
また本発明は、コンピュータを、前記電子機器における制御部として機能させるためのプログラムである。
【発明の効果】
【００１６】
本発明によれば、画面上に表示されたオブジェクトの状態が不所望に変更されてしまうことを防止することができる。
【図面の簡単な説明】
【００１７】
【図１】本発明の一実施形態に係る電子機器１の主要な構成を示すブロック図である。
【図２】ＰＣの表示部１１に表示されたデスクトップ画面Ｄ１の一例を示す図である。
【図３】本実施形態において状態変更禁止プログラムを実行したときの処理手順を示すフローチャートである。
【図４】デスクトップ画面Ｄ１において、ピクトアイコン２６が付加表示されていないオブジェクトに対して右クリックを行ったときの状態を示す図である。
【図５】デスクトップ画面Ｄ１において、ピクトアイコン２６が付加表示されているオブジェクトに対して右クリックを行ったときの状態を示す図である。
【図６】ＰＣの表示部１１に表示されたデスクトップ画面Ｄ１の他の例を示す図である。
【図７】スマートフォンの表示部１１に表示されたホーム画面Ｄ２１，Ｄ２２の一例を示す図である。
【発明を実施するための形態】
【００１８】
図１は、本発明の一実施形態に係る電子機器１の主要な構成を示すブロック図である。電子機器１は、表示部１１と、入力部１２と、補助記憶装置１３と、制御部１４とを含んで構成され、たとえばＰＣ（Personal Computer）やスマートフォンなどによって実現さ
れる。
【００１９】
表示部１１は、たとえば液晶パネルおよびバックライトを備える液晶ディスプレイ装置や、有機ＥＬ（Electro-Luminescence）ディスプレイ装置などの公知の表示装置によって実現され、制御部１４によって制御されて、画像データに応じた画像を表示面に表示する。
【００２０】
入力部１２は、マウスなどのポインティングデバイスや、表示部１１における表示面に重畳して設けられるタッチセンサなどの公知の入力装置によって実現され、ユーザは、この入力部１２を操作することによって、所定の処理を実行させるための指令やデータを入力することができる。入力部１２は、ユーザによる操作によって指令やデータが入力されると、その指令やデータを示す入力情報を制御部１４へ与える。
【００２１】
補助記憶装置１３は、ハードディスクドライブ（ＨＤＤ：Hard Disk Drive）やソリッ
ドステートドライブ（ＳＳＤ：Solid State Drive）によって実現され、電子機器１の基
本的な機能を実現するオペレーティングシステム（ＯＳ：Operating System）プログラムが記憶されるとともに、電子メール機能を実現するメールプログラム、Ｗｅｂブラウジング機能を実現するブラウザプログラム、文書作成機能を実現する文書作成プログラム、および複数のファイルを順序付けて１つにまとめる機能を実現するファイル管理プログラムなどの種々のアプリケーションプログラムや、時計表示ウィジェット、日付表示ウィジェットおよび天気表示ウィジェットなどを実行するためのウィジェットエンジンが記憶される。
【００２２】
本実施形態では、このオペレーティングシステムプログラムには、後述する状態変更禁止処理を実行するためのプログラム（以下、「状態変更禁止プログラム」と称する）が標準搭載されている。
【００２３】
なお、この状態変更禁止プログラムは、本実施形態のように、オペレーティングシステムプログラムに標準搭載されていてもよく、あるいは、インターネットからダウンロードするなどして取得し、インストールすることによって、オペレーティングシステムプログラムにその機能を追加するものであってもよい。
【００２４】
制御部１４は、電子機器１の各部の動作を制御する処理部であり、たとえばＣＰＵ（Central Processing Unit）、ＲＯＭ（Read Only Memory）およびＲＡＭ（Random Access M
emory）によって実現される。
【００２５】
制御部１４は、補助記憶装置１３からＲＡＭにロードされるオペレーティングシステムプログラム、アプリケーションプログラムおよびウィジェットエンジンを実行するとともに、状態変更禁止プログラムを実行する。
【００２６】
以下、電子機器１がＰＣによって実現され、オペレーティングシステムプログラムとしてＷｉｎｄｏｗｓ（登録商標）が用いられ、入力部１２がマウスによって実現されているものとして、状態変更禁止プログラムの実行時の動作について説明する。
【００２７】
図２は、ＰＣの表示部１１に表示されたデスクトップ画面Ｄ１の一例を示す図であり、このデスクトップ画面Ｄ１には、その画面内において移動させることが可能なオブジェクトとして、アプリケーションプログラムの実行ファイルを表す複数のアプリケーションアイコン２１、デスクトップに保存されたフォルダを表すフォルダアイコン２２、文書作成プログラムによって作成された文書ファイルを表すファイルアイコン２３、ファイル管理プログラムにより複数のファイルが順序付けてまとめられたデータを表すデータアイコン２４、および時計表示ウィジェット２５が表示されている。
【００２８】
ユーザは、入力部１２であるマウスを用いて、１または複数のオブジェクトを選択し、選択したオブジェクトに対してドラッグ＆ドロップ操作を行うことで、該選択したオブジェクトを所望の位置へ移動させることができる。制御部１４は、入力部１２からドラッグ＆ドロップ操作を示す入力情報を受け取ると、選択されたオブジェクトをドロップ操作が行われた位置へ移動させる。
【００２９】
本実施形態では、状態変更禁止プログラムを実行することによって、これらの移動可能なオブジェクトについて、個別に、デスクトップ画面Ｄ１内での移動を禁止する設定ができるように構成されている。
【００３０】
また、デスクトップ画面Ｄ１内での移動を禁止する設定がなされたオブジェクトについては、図２に示すように、そのような設定状態であることを示す禁止マークのピクトアイコン２６が付加表示されるように構成されている。
【００３１】
図３は、本実施形態において状態変更禁止プログラムを実行したときの処理手順を示すフローチャートである。図４は、デスクトップ画面Ｄ１において、ピクトアイコン２６が付加表示されていないオブジェクトに対して右クリックを行ったときの状態を示す図である。図５は、デスクトップ画面Ｄ１において、ピクトアイコン２６が付加表示されているオブジェクトに対して右クリックを行ったときの状態を示す図である。
【００３２】
ＰＣの表示部１１にデスクトップ画面Ｄ１が表示されると、処理を開始してステップｓ１に進む。ステップｓ１で、制御部１４は、入力部１２から受け取る入力情報を監視して、右クリック操作がされたか否かを判定し、右クリック操作されたと判定すると、ステップｓ２に進む。
【００３３】
ステップｓ２で、制御部１４は、右クリック操作の対象がアイコンやウィジェットなどのオブジェクトであるか否かを判定し、対象がオブジェクトであると判定するとステップｓ３に進む。また、背景画面が右クリックされた場合のように、対象がオブジェクトでないと判定すると、処理を終了する。
【００３４】
ステップｓ３で、制御部１４は、操作対象のオブジェクトに対して、デスクトップ画面Ｄ１内での移動を禁止する設定（以下、「ピン留め設定」と称する）がなされているか否
かを判定し、ピン留め設定がなされていないと判定するとステップｓ４に進む。また、ピン留め設定がなされていると判定するとステップｓ８に進む。
【００３５】
ステップｓ４で、制御部１４は、その操作対象のオブジェクトに対して右クリックを行ったときに表示すべきコンテキストメニュー２７のデータを取得し、そのコンテキストメニュー２７の選択肢に、ピン留め設定の実行を表す「ピン留めする」という選択肢２８を追加して、図４に示すように、該選択肢２８が追加されたコンテキストメニュー２７を、操作対象のオブジェクトの近傍に表示する。コンテキストメニュー２７が表示されると、ステップｓ５に進む。
【００３６】
ステップｓ５で、制御部１４は、入力部１２から受け取る入力情報を監視して、コンテキストメニュー２７に含まれる選択肢のうち、「ピン留めする」という選択肢２８が選択されたか否かを判定し、選択肢２８が選択されたと判定するとステップｓ６に進む。また、選択肢２８以外の選択肢が選択されたと判定すると、その選択肢に対応する処理を実行して、処理を終了する。
【００３７】
ステップｓ６で、制御部１４は、操作対象のオブジェクトに対して、ピン留めフラグを設定し、ステップｓ７に進む。このようにして、ピン留め設定されたオブジェクトは、ピン留め設定が解除されない限り、デスクトップ画面Ｄ１において、ピン留め設定された位置から移動させることができず、またデスクトップ画面Ｄ１から削除することもできなくなる。
【００３８】
ステップｓ７で、制御部１４は、ピン留め設定されたオブジェクトに対してピクトアイコン２６を付加表示し、処理を終了する。このように、ピン留め設定されたオブジェクトに対してピクトアイコン２６を付加表示することで、ユーザは、各オブジェクトについて、ピン留め設定されているか否かを視覚的に判別することができる。
【００３９】
ステップｓ８で、制御部１４は、その操作対象のオブジェクトに対して右クリックを行ったときに表示すべきコンテキストメニュー２９のデータを取得し、そのコンテキストメニュー２９の選択肢に、ピン留め設定解除の実行を表す「ピンをはずす」という選択肢３０を追加して、図５に示すように、該選択肢３０が追加されたコンテキストメニュー２９を、操作対象のオブジェクトの近傍に表示する。コンテキストメニュー２９が表示されると、ステップｓ９に進む。
【００４０】
ステップｓ９で、制御部１４は、入力部１２から受け取る入力情報を監視して、コンテキストメニュー２９に含まれる選択肢のうち、「ピンをはずす」という選択肢３０が選択されたか否かを判定し、選択肢３０が選択されたと判定するとステップｓ１０に進む。また、選択肢３０以外の選択肢が選択されたと判定すると、その選択肢に対応する処理を実行して、処理を終了する。
【００４１】
ステップｓ１０で、制御部１４は、操作対象のオブジェクトに対して、ピン留めフラグを設定解除し、ステップｓ１１に進む。このようにして、ピン留め設定が解除されたオブジェクトは、再び、デスクトップ画面Ｄ１において移動させることが可能になるとともに、デスクトップ画面Ｄ１から削除することも可能になる。
【００４２】
ステップｓ１１で、制御部１４は、ピン留め設定が解除されたオブジェクトについて、付加表示されているピクトアイコン２６を消去し、処理を終了する。
【００４３】
以上のように、本実施形態によれば、デスクトップ画面Ｄ１上に表示されるアイコンやウィジェットなどのオブジェクトについて、個別に、デスクトップ画面Ｄ１内での移動お
よびデスクトップ画面Ｄ１からの削除を禁止するように設定することができる。したがって、好みに合わせてあるいは操作性を考えて所定の位置に配置したオブジェクトに対して、ピン留め設定を行うことで、そのオブジェクトが不所望に移動してしまうことを未然に防止することができる。
【００４４】
また、ピン留め設定されたオブジェクトに対しては、そのことを示すピクトアイコン２６が付加表示されるので、ユーザは、オブジェクトを視認するだけで、ピン留め設定されているか否かを判別することができる。
【００４５】
なお、本実施形態において、ユーザにより、ピン留め設定されたオブジェクトに対して、デスクトップ画面Ｄ１内で移動またはデスクトップ画面Ｄ１から削除しようとする操作が行われた場合には、ピン留め設定がされているために移動または削除できない旨の警告を表示するように構成してもよい。
【００４６】
また、本実施形態では、禁止マークのピクトアイコン２６によって、ピン留め設定されていることを視覚的に示しているが、視覚的に判別可能であれば別の方法によって実現されてもよい。たとえば、そのオブジェクトの色やサイズを変更するなどして、ピン留め設定されていることを示してもよい。
【００４７】
図６は、ＰＣの表示部１１に表示されたデスクトップ画面Ｄ１の他の例を示す図である。図６に示す例では、デスクトップ画面Ｄ１には、ファイル管理プログラムにより複数のファイルが順序付けてまとめられたデータを表す複数のデータアイコン２４と、時計表示ウィジェット２５とが表示されている。
【００４８】
本実施形態では、状態変更禁止プログラムを実行することによって、移動可能なオブジェクトについて、個別に、デスクトップ画面Ｄ１内での移動を禁止する設定ができるとともに、データアイコン２４については、そのデータについて予め設定されている順序の変更を禁止する設定ができるように構成されている。
【００４９】
さらに、予め設定されている順序の変更を禁止する設定がなされたオブジェクトについては、そのような設定状態であることを示すクリップマークのピクトアイコン２６Ａが付加表示され、デスクトップ画面Ｄ１内での移動を禁止する設定がなされたオブジェクトについては、そのような設定状態であることを示す押しピンマークのピクトアイコン２６Ｂが付加表示されるように構成されている。
【００５０】
なお、ピクトアイコン２６Ａが付加表示されたデータアイコン２４については、予め設定されている順序を変更することはできないが、デスクトップ画面Ｄ１内での移動やデスクトップ画面Ｄ１からの削除は可能であり、逆に、ピクトアイコン２６Ｂが付加表示されたデータアイコン２４については、デスクトップ画面Ｄ１内での移動やデスクトップ画面Ｄ１からの削除はできないが、予め設定されている順序を変更することは可能である。
【００５１】
このように、本実施形態によれば、複数のファイルを並び順を設定して１つにまとめたデータが、不所望にその並び順が変更されてしまうことを未然に防止することができる。また、デスクトップ画面Ｄ１内での移動を禁止する設定がなされたオブジェクトと、予め設定されている順序の変更を禁止する設定がなされたオブジェクトとで、付加表示するピクトアイコン２６Ａ，２６Ｂの絵柄を変えているので、ユーザは、オブジェクトを視認するだけで、そのオブジェクトに対する設定状態を判別することができる。
【００５２】
上記の実施形態では、電子機器１がＰＣによって実現される場合について説明したが、たとえばオペレーティングシステムプログラムとしてＡｎｄｒｏｉｄ（登録商標）が用い
られ、入力部１２が表示部１１の表示面に重畳して設けられるタッチセンサによって実現されるスマートフォンにおいても実現可能である。
【００５３】
図７は、スマートフォンの表示部１１に表示されたホーム画面Ｄ２１，Ｄ２２の一例を示す図である。スマートフォンにおいては、フリック操作することによって、アイコン３１やウィジェット３２などのオブジェクトが表示されるホーム画面Ｄ２１，Ｄ２２を切り換えることができるように構成されている。また、各ホーム画面Ｄ２１，Ｄ２２においては、選択したオブジェクトに対してフリック操作を行うことで、該選択したオブジェクトを所望の位置へ移動させることができるように構成されている。
【００５４】
本実施形態では、状態変更禁止プログラムを実行することによって、これらの移動可能なオブジェクトについて、個別に、ホーム画面Ｄ２１，Ｄ２２内での移動およびホーム画面Ｄ２１，Ｄ２２からの削除を禁止するとともに、図７に示すように、全てのホーム画面Ｄ２１，Ｄ２２において、オブジェクトを所定の位置に固定して表示させる設定ができるように構成されている。
【００５５】
また、各ホーム画面Ｄ２１，Ｄ２２内での移動の禁止、かつ全てのホーム画面Ｄ２１，Ｄ２２において位置を固定して表示する設定がなされたオブジェクトについては、図７に示すように、そのような設定状態であることを示す禁止マークのピクトアイコン３３が付加表示されるように構成されている。
【００５６】
なお、ＰＣにおいては、対象とするオブジェクトを右クリックすることによってこのような設定を実行するための選択肢を含むコンテキストメニューを表示するように構成していたが、スマートフォンの場合には、たとえば対象とするオブジェクトをロングタッチすることによって前記のような設定を実行する、あるいは設定を解除するための選択肢を含むコンテキストメニューを表示するように構成することができる。
【００５７】
このように、本実施形態によれば、移動可能なオブジェクトを含むホーム画面Ｄ２１，Ｄ２２を切り換え表示できるような電子機器１において、ホーム画面Ｄ２１，Ｄ２２上に表示されるアイコンやウィジェットなどのオブジェクトについて、個別に、ホーム画面Ｄ２１，Ｄ２２内での移動およびホーム画面Ｄ２１，Ｄ２２からの削除を禁止するとともに、該オブジェクトについて、全てのホーム画面Ｄ２１，Ｄ２２において、所定の位置に固定して表示させるように設定することができる。
【００５８】
したがって、好みに合わせてあるいは操作性を考えて所定の位置に配置したオブジェクトに対して、このような設定を行うことで、そのオブジェクトが不所望に移動してしまうことを未然に防止することができる。また、全てのホーム画面Ｄ２１，Ｄ２２において、所定の位置に固定して表示されるので、たとえば頻繁に利用するアプリケーションプログラムのアイコンをこのように設定しておくことで、いずれのホーム画面Ｄ２１，Ｄ２２が表示されている場合であっても、そのアプリケーションプログラムをすぐに起動させることができる。さらに、このように設定されたオブジェクトに対しては、そのことを示すピクトアイコン３３が付加表示されるので、ユーザは、オブジェクトを視認するだけで設定状態を判別することができる。
【００５９】
上記の実施形態では、状態変更禁止プログラムは、ハードディスクドライブやソリッドステートドライブによって実現される補助記憶装置１３に記憶されているが、このような記憶装置に限定されるものではなく、コンピュータで読取り可能な記憶媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００６０】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００６１】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）／フラ
ッシュＲＯＭなどの半導体メモリを含む固定的にプログラムを担持する記録媒体であってもよい。
【符号の説明】
【００６２】
１  電子機器
１１  表示部
１２  入力部
１３  補助記憶装置
１４  制御部
２１  アプリケーションアイコン
２２  フォルダアイコン
２３  ファイルアイコン
２４  データアイコン
２５  時計表示ウィジェット
２６  ピクトアイコン
Ｄ１  デスクトップ画面
【図１】
2018022523.tif 000003
【図２】
2018022523.tif 000004
【図３】
2018022523.tif 000005
【図４】
2018022523.tif 000006
【図５】
2018022523.tif 000007
【図６】
2018022523.tif 000008
【図７】
2018022523.tif 000009
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
１の画像、または複数の画像からなる画像群、を画像ユニットとして、該画像ユニット毎に画面上に表示する表示部と、
前記画像ユニット毎に、表示状態の変更をするための変更指示、および表示状態の変更を禁止するための変更禁止指示を入力するための入力部と、
前記入力部に前記変更指示が入力されると、該変更指示の対象の画像ユニットの表示状態を、該変更指示に従って変更し、前記入力部に前記変更禁止指示が入力されると、該変更禁止指示の対象の画像ユニットについて、表示状態の変更を禁止する禁止設定を行う制御部とを含み、
前記入力部は、
複数の種類の変更禁止指示が入力可能であり、
かつ前記画像ユニット毎に、前記複数の種類の変更指示のうちいずれかの変更禁止指示を入力するためのものであり、
前記制御部は、
前記画像ユニット毎に、前記入力された変更禁止指示の種類に応じて異なる禁止設定を行うことを特徴とする表示装置。
【請求項２】
前記変更指示には複数の種類の変更指示が含まれ、
前記変更禁止指示は、前記変更禁止指示毎に、前記複数の種類の変更指示のうち禁止する１または複数の変更指示を指定するものであり、
前記制御部は、前記画像ユニット毎に、前記入力された変更禁止指示が指定した変更指示に対応する表示状態の変更を禁止することを特徴とする請求項１に記載の表示装置。
【請求項３】
前記制御部は、前記変更禁止指示の対象の画像ユニットを、設定された変更禁止指示の種類が視覚的に判別可能に表示させることを特徴とする請求項１または２に記載の表示装置。
【請求項４】
前記変更禁止指示には、前記画像ユニットの画面内での移動を禁止するための移動禁止指示が含まれ、
前記制御部は、前記入力部に前記移動禁止指示が入力されると、該移動禁止指示の対象の画像ユニットについて、画面内での移動を禁止するように設定することを特徴とする請求項１から３のいずれか１項に記載の表示装置。
【請求項５】
前記変更禁止指示には、前記画像ユニットの削除を禁止するための削除禁止指示が含まれ、
前記制御部は、前記入力部に前記削除禁止指示が入力されると、該削除禁止指示の対象の画像ユニットについて、削除を禁止するように設定することを特徴とする請求項１から４のいずれか１項に記載の表示装置。
【請求項６】
前記画像群は、複数の画像が予め設定された順序に従って配列されてなるものであり、
前記変更禁止指示には、前記画像群における配列順序の変更を禁止するための順序変更禁止指示が含まれ、
前記制御部は、前記入力部に前記順序変更禁止指示が入力されると、該順序変更禁止指示の対象の画像群について、配列順序の変更を禁止するように設定することを特徴とする請求項１から５のいずれか１項に記載の表示装置。
【請求項７】
前記画像群は、複数の画像が予め設定された順序に従って配列されてなるものであり、
前記変更禁止指示には、前記画像群における配列順序の変更を禁止するための順序変更禁止指示と、前記画像ユニットの画面内での移動を禁止するための移動禁止指示とが含まれ、
前記制御部は、
前記入力部に前記順序変更禁止指示が入力されると、該順序変更禁止指示の対象の画像群について、配列順序の変更を禁止するように設定し、
前記入力部に前記移動禁止指示が入力されると、該移動禁止指示の対象の画像ユニットについて、画面内での移動を禁止するように設定することを特徴とする請求項１から３のいずれか１項に記載の表示装置。
【請求項８】
コンピュータを、請求項１〜７のいずれか１つに記載の表示装置における制御部として機能させるためのプログラム。
【手続補正３】
【補正対象書類名】明細書
【補正対象項目名】０００１
【補正方法】変更
【補正の内容】
【０００１】
本発明は、表示装置およびプログラムに関する。
【手続補正４】
【補正対象書類名】明細書
【補正対象項目名】００１０
【補正方法】変更
【補正の内容】
【００１０】
本発明は、１の画像、または複数の画像からなる画像群、を画像ユニットとして、該画像ユニット毎に画面上に表示する表示部と、
前記画像ユニット毎に、表示状態の変更をするための変更指示、および表示状態の変更を禁止するための変更禁止指示を入力するための入力部と、
前記入力部に前記変更指示が入力されると、該変更指示の対象の画像ユニットの表示状態を、該変更指示に従って変更し、前記入力部に前記変更禁止指示が入力されると、該変更禁止指示の対象の画像ユニットについて、表示状態の変更を禁止する禁止設定を行う制御部とを含み、
前記入力部は、
複数の種類の変更禁止指示が入力可能であり、
かつ前記画像ユニット毎に、前記複数の種類の変更指示のうちいずれかの変更禁止指示を入力するためのものであり、
前記制御部は、
前記画像ユニット毎に、前記入力された変更禁止指示の種類に応じて異なる禁止設定を行うことを特徴とする表示装置である。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
また本発明は、コンピュータを、前記表示装置における制御部として機能させるためのプログラムである。